(57)【要約】【課題】ユーザに使い勝手を低下させずに効率良く複数の指針を動作させることの出来るアナログ電子時計を提供する。【解決手段】ステップ駆動されるステッピングモータと、ステップ駆動に応じて第１回転角度ずつ回転される第１指示部と、第１指示部の回転に連動して第１回転角度より小さい第２回転角度ずつ回転される第２指示部と、第１指示部の回転位置に係る設定に応じたステップ駆動をさせる単独回動制御手段と、第１指示部の回転位置と第２指示部の回転位置とが何れも設定された位置となるようにステップ駆動をさせる連動回動制御手段と、第１指示部の回転位置を変更させる動作モード、又は、第１指示部の回転位置を一時的に変更させる動作状態にある場合には、単独回動制御手段を動作させ、第１指示部の最終的な回転位置に係る設定が確定された場合には、連動回動制御手段を動作させる回動選択手段と、を備える。【選択図】図５
2014182074.tif 000002
【特許請求の範囲】
【請求項１】
ステップ駆動されるステッピングモータと、
前記ステップ駆動に応じて、所定の第１回転角度ずつステップ回転される第１指示部と、
前記第１指示部の回転に連動して、前記第１回転角度より小さい第２回転角度ずつステップ回転される第２指示部と、
前記第１指示部の回転位置に係る設定に応じて前記ステッピングモータをステップ駆動させる単独回動制御手段と、
当該第１指示部の回転位置と前記第２指示部の回転位置とが何れも設定された位置となるように前記ステッピングモータをステップ駆動させる連動回動制御手段と、
前記第１指示部の回転位置を変更させる動作モード、又は、当該第１指示部の回転位置を一時的に変更させる動作状態にある場合には、前記単独回動制御手段を動作させ、前記第１指示部の最終的な回転位置に係る設定が確定された場合には、前記連動回動制御手段を動作させる回動選択手段と
を備えることを特徴とするアナログ電子時計。
【請求項２】
前記第１指示部及び前記第２指示部をそれぞれ回転させる歯車列の所定方向への回転に係る遊びの大きさのデータを記憶する記憶手段を備え、
前記単独回動制御手段は、前記第１指示部を前記所定方向とは反対方向に移動させる場合に、当該第１指示部の前記遊びの大きさ以上の所定ステップ数、前記第１指示部を当該反対方向及び前記所定方向に順に回転動作させ、
前記連動回動制御手段は、前記第２指示部を前記所定方向とは反対方向に移動させる場合に、当該第２指示部の前記遊びの大きさ以上の所定ステップ数、前記第１指示部及び前記第２指示部を当該反対方向及び前記所定方向に順に回転動作させることを特徴とする請求項１記載のアナログ電子時計。
【請求項３】
前記回動選択手段は、前記第２指示部の回転動作中に前記第１指示部の回転位置を変更させる動作モード、又は、前記第１指示部の回転位置を一時的に変更させる動作状態に移行した場合には、前記連動回動制御手段による前記第２指示部の回転動作を中断させて、前記単独回動制御手段の動作に切り替えることを特徴とする請求項１又は２記載のアナログ電子時計。
【請求項４】
前記単独回動制御手段は、前記第１指示部の回転位置として設定された位置へ、より短時間で到達させることが可能な回転方向へ前記第１指示部を回転動作させることを特徴とする請求項１〜３の何れか一項に記載のアナログ電子時計。
【請求項５】
前記第１回転角度は、前記第２回転角度の整数倍に設定されていることを特徴とする請求項１〜４の何れか一項に記載のアナログ電子時計。
【請求項６】
前記第２指示部は、所定の角度間隔で設けられた複数の標識のうちの一つが回転位置に応じて選択的に示される構成であり、
前記第１回転角度及び前記第２回転角度は、前記第２指示部が前記所定の角度間隔回転する間に、前記第１指示部が所定回３６０度回転するように定められている
ことを特徴とする請求項５記載のアナログ電子時計。
【請求項７】
ユーザの入力操作を受け付ける操作手段を備え、
前記第１指示部の回転位置を変更させる動作モードには、当該第１指示部の回転位置に係る設定を変更するための前記操作手段への入力操作を待ち受けている状態を含み、
前記回動選択手段は、前記第１指示部の回転位置に係る設定がなされてから所定の待機時間以上、前記操作手段への入力操作が検出されない場合には、所定の時間間隔で前記第２指示部が示すべき前記標識に係る回転位置の方向へ前記第１指示部を３６０度早送り回転動作させていくことを特徴とする請求項６記載のアナログ電子時計。
【請求項８】
ユーザの入力操作を受け付ける操作手段を備え、
前記第１指示部の回転位置を変更させる動作モードには、当該第１指示部の回転位置に係る設定を変更するための前記操作手段への入力操作を待ち受けている状態を含む
ことを特徴とする請求項１〜５の何れか一項に記載のアナログ電子時計。
【請求項９】
複数の機能に係る表示を行うための機能指針を備え、
前記第１指示部は、当該機能指針の一部又は全部により表示されている内容の機能種別を示すモード指針であり、前記第２指示部は、一の面に所定の角度間隔で設けられた各日付を表す複数の標識を有する回転板である
ことを特徴とする請求項１〜８の何れか一項に記載のアナログ電子時計。
【発明の詳細な説明】
【技術分野】
【０００１】
この発明は、アナログ電子時計に関する。
【背景技術】
【０００２】
従来、時刻を表示する機能の他、種々の機能に係る表示を行わせることの出来るアナログ電子時計がある。このようなアナログ電子時計では、時刻を表示させる際に用いられる時針や分針といった時刻指針や日付を示す標識を表示させる日車といった回転板に加えて、他の機能に係る表示に用いられたり表示させている内容の機能種別を示すのに用いられたりする機能針や回転板を備えているものがある。
【０００３】
このような多機能電子時計において、各指針や回転板には、時刻表示とは異なる独自の動作が要求される場合があり、各々個別のステッピングモータや輪列機構により独自に回転動作が可能とされているものがある。しかしながら、指針や回転板の数が増えると、ステッピングモータの駆動に要する電力が増大すると共に、ステッピングモータや輪列機構を設けるためのスペースが増大して、時計のサイズの大型化を招くという問題がある。そこで、このような電子時計には、独立に動作させる必要が無い機能針や回転板を組み合わせて一のステッピングモータで連動して回転させると共に、輪列機構の構成や配置を工夫して省スペース化を図っているものがある（例えば、特許文献１）。
【先行技術文献】
【特許文献】
【０００４】
【特許文献１】特開２０１０−２２３６８９号公報
【発明の概要】
【発明が解決しようとする課題】
【０００５】
しかしながら、所定のサイズの時計内部に配置可能なステッピングモータの数には限りがあるので、動作頻度の低い指針や回転板を独立して駆動させるためのステッピングモータを設けると、ステッピングモータを有効に利用出来ないという問題が生じる。他方、独立した表示を行わせる複数の指針や回転板を一のステッピングモータで動作させると、複数の表示内容を正しく維持するためにステッピングモータの動作回数が増加し、正しい表示状態を維持するために要する動作時間が長くなって、ユーザの使い勝手を低下させるという課題がある。
【０００６】
この発明の目的は、ユーザの使い勝手を低下させずに効率良く複数の指針を動作させることの出来るアナログ電子時計を提供することにある。
【課題を解決するための手段】
【０００７】
本発明は、上記目的を達成するため、
ステップ駆動されるステッピングモータと、
前記ステップ駆動に応じて、所定の第１回転角度ずつステップ回転される第１指示部と、
前記第１指示部の回転に連動して、前記第１回転角度より小さい第２回転角度ずつステップ回転される第２指示部と、
前記第１指示部の回転位置に係る設定に応じて前記ステッピングモータをステップ駆動させる単独回動制御手段と、
当該第１指示部の回転位置と前記第２指示部の回転位置とが何れも設定された位置となるように前記ステッピングモータをステップ駆動させる連動回動制御手段と、
前記第１指示部の回転位置を変更させる動作モード、又は、当該第１指示部の回転位置を一時的に変更させる動作状態にある場合には、前記単独回動制御手段を動作させ、前記第１指示部の最終的な回転位置に係る設定が確定された場合には、前記連動回動制御手段を動作させる回動選択手段と
を備えることを特徴とするアナログ電子時計である。
【発明の効果】
【０００８】
本発明に従うと、アナログ電子時計において、ユーザの使い勝手を低下させずに効率良くステッピングモータを組み込むことが出来るという効果がある。
【図面の簡単な説明】
【０００９】
【図１】本発明の実施形態のアナログ電子時計を示す平面図である。
【図２】アナログ電子時計の内部構成を示すブロック図である。
【図３】本実施形態のアナログ電子時計における機能表示位置変更処理の制御手順を示すフローチャートである。
【図４】機能針移動設定処理の制御手順を示すフローチャートである。
【図５】アナログ電子時計における機能表示位置変更時の表示例を示す平面図である。
【図６】振り戻し量設定処理の制御手順を示すフローチャートである。
【図７】機能表示位置変更処理の制御手順の変形例を示すフローチャートである。
【発明を実施するための形態】
【００１０】
以下、本発明の実施の形態を図面に基づいて説明する。
図１は、本発明の実施形態のアナログ電子時計１００の平面図である。
【００１１】
本実施形態のアナログ電子時計１００は、図示略のバンドにより腕に装着可能な腕時計型のものであり、ケーシング２の内部に設けられた表示盤３と、表示盤３の上面を覆う図示略の風防ガラスとの間に、複数の指針が回転可能に配置されている。また、ケーシング２の側面部分には、りゅうず３８１、及び、二つの押しボタンスイッチ３８２、３８３が設けられている。
【００１２】
複数の指針のうち、時針５１、分針５２、及び、秒針５３は、表示盤３の略中央に設けられた同一の回転軸の周りを回転する。以降、時針５１、分針５２、及び、秒針５３による表示をセンター表示と記し、当該センター表示に係る目盛が設けられた表示盤３の領域、及び、時針５１、分針５２、並びに、秒針５３により指し示される領域をセンター表示領域と記す。表示盤３には、１２時方向、６時方向、及び、９時方向にそれぞれ円形の表示領域４、５、６が設けられている。表示領域４の内部には、第一短小針５４及び第一長小針５５が回転可能に配置され、また、表示領域５の内部には、第二短小針５６及び第二長小針５７が回転可能に配置され、表示領域６の内部には、機能針５８（第１指示部、モード指針）が回転可能に配置されている。
以降、時針５１、分針５２、秒針５３、第一短小針５４、第一長小針５５、第二短小針５６、第二長小針５７、及び、機能針５８のうち２本以上の一部又は全部をまとめて、例えば、指針５１〜５８とも記す。また、指針５１〜５７により機能指針が構成される。
【００１３】
表示盤３の下には、回転板である日車５９（第２指示部）が設けられている。日車５９には、その回転軸に対する一の回転円周上に１日から３１日までの各日付を示す日付標識（標識）が順番に形成されており、表示盤３の３時方向に設けられた小窓７から日付標識のうちの何れかが露出されて日付の表示が行われる。本実施形態のアナログ電子時計１００では、小窓７は、日付標識のうち何れか一日分が露出可能な大きさとなっている。
【００１４】
表示盤３には、時針５１、分針５２、及び、秒針５３の回転軸に対する一の回転円周上に１時から１２時の各位置（方向）を示す時字が設けられ、他の回転円周上に、０秒から５９秒の各秒を示す秒目盛が設けられ、これらの時字及び秒目盛が設けられた円周の更に外側であって表示盤３の周縁部に、世界時計に係る表示を行う際に選択可能な都市名が略称で記載されている。
【００１５】
表示領域４、５には、同一の目盛が設けられている。この目盛としては、本実施形態のアナログ電子時計１００では、内側の円周上に時字が設けられ、外側の円周上に各秒を示す秒目盛が設けられている。従って、センター表示領域及び表示領域４、５の何れであっても時刻の表示やストップウォッチ機能における秒値の表示を行わせることが出来る。
一方、表示領域６には、左側に機能種別を示す種別標識「ＳＴＷ」、「ＴＭ」、「ＷＴ」が設けられている。
【００１６】
図２は、本実施形態のアナログ電子時計１００の内部構成を示すブロック図である。
【００１７】
このアナログ電子時計１００は、ＣＰＵ（Central Processing Unit）３１（単独回動制御手段、連動回動制御手段、回動選択手段）と、ＲＯＭ（Read Only Memory）３２（記憶手段）と、ＲＡＭ（Random Access Memory）３３と、発振回路３４と、分周回路３５と、時刻計数回路３６と、電源部３７と、操作部３８（操作手段）と、モータ駆動回路８１と、輪列機構６１〜６９（歯車列）と、ステッピングモータ７１〜７３、７５、７７、７８と、時針５１と、分針５２と、秒針５３と、第一短小針５４と、第一長小針５５と、第二短小針５６と、第二長小針５７と、機能針５８と、日車５９などを備える。
【００１８】
ステッピングモータ７１〜７３は、それぞれ輪列機構６１〜６３を介して時針５１、分針５２、秒針５３を個別に回転動作させる。ステッピングモータ７５は、輪列機構６５を介して第一長小針５５を回転動作させ、また、輪列機構６５に連動する輪列機構６４を介して第一短小針５４を回転動作させる。ステッピングモータ７７は、輪列機構６７を介して第二長小針５７を回転動作させ、また、輪列機構６７に連動する輪列機構６６を介して第二短小針５６を回転動作させる。ステッピングモータ７８は、輪列機構６８を介して機能針５８を回転動作させ、また、輪列機構６８に連動する輪列機構６９を介して日車５９を回転動作させる。
【００１９】
ステッピングモータ７１〜７３、７５、７７、７８は、モータ駆動回路８１から出力される駆動電圧パルスにより駆動（ステップ駆動）されて、所定の角度（例えば、１８０度）ずつステップ回転する。輪列機構６１〜６９は、それぞれ、複数の歯車が噛み合わされて所定のギア比で回転する構成であり、輪列機構６１〜６３、６５、６７、６８におけるそれぞれ最後の歯車は、ステッピングモータ７１〜７３、７５、７７、７８のステップ回転に連動してそれぞれ所定角度の回転動作を時針５１、分針５２、秒針５３、第一長小針５５、第二長小針５７、及び、機能針５８に伝えることで、それぞれ所望の位置（回転位置）を指し示させる。ここでは、時針５１、分針５２、第一長小針５５、第二長小針５７、及び、機能針５８は、一ステップ当たり１度（第１回転角度）回転移動（ステップ回転）し、秒針５３は、一ステップ当たり６度回転移動する。これらの指針５１〜５８と日車５９は、それぞれ、正転方向に６４ｐｐｓ（pulse per second）で早送り移動が可能であり、また、逆転方向に３２ｐｐｓで早送り移動が可能である。
【００２０】
輪列機構６４、６６、６９は、輪列機構６５、６７、６８の歯車の回転にそれぞれ連動して回転する歯車を有し、第一短小針５４、第二短小針５６、及び、日車５９に所定角度の回転動作を伝える。第一短小針５４及び第二短小針５６は、それぞれ、第一長小針５５及び第二長小針５７の回転角度に対し１／１２の回転角度で回転する。即ち、第一長小針５５及び第二長小針５７が表示領域４、５の内部で各々の回転軸の周りを一周（３６０度回転）する間に、第一短小針５４及び第二短小針５６は、第一長小針５５及び第二長小針５７と同一の回転方向に３０度回転する。輪列機構６９は、機能針５８が表示領域６の内部で回転軸の周りを１２周すると、小窓７から露出される日車５９上の日付標識の一日分の変化に対応する角度（所定の角度間隔、例えば、１１．２５度）回転するように１：３８４でギア比が構成され、一ステップ当たり１／３８４度（第２回転角度）回転移動する。
【００２１】
輪列機構６１〜６９をそれぞれ構成する複数の歯車の間には、それぞれ、遊び（バックラッシュ）が存在する。従って、各指針５１〜５８や日車５９の回転方向を正転方向と逆転方向との間で切り替える場合、ステッピングモータ７１〜７３、７５、７７、７８が所定回数（空回りステップ数）ステップ回転する間、輪列機構６１〜６９の途中の歯車間で空回りすることになり、各指針５１〜５８や日車５９は、回転動作されない。
【００２２】
本実施形態のアナログ電子時計１００では、逆転方向へ指針を移動させる場合には、当該指針の空回りステップ数又はこれ以上のステップ数（振り戻しステップ数）余分にステッピングモータに逆転動作を行わせ、その後、正転方向への回転に係る空回りを解消するために、上記振り戻しステップ数ステッピングモータに正転動作を行わせる振り戻し動作を行う必要がある。この空回りステップ数は、機能針５８と日車５９とで異なり、日車５９の空回りステップ数の方が大きくなっている。従って、機能針５８が逆転移動される場合には、日車５９の位置は、正転方向に回転される場合の位置と比較して最大で当該空回りステップ数の差だけずれる（正転方向に位置する）ことになる。この振り戻しステップ数は、予めＲＯＭ３２に記憶されて振り戻し動作の際に読み出される。
【００２３】
ＣＰＵ３１は、各種演算処理を行い、アナログ電子時計１００の動作全体を統括制御する。ＲＯＭ３２は、アナログ電子時計１００の動作に係る制御プログラムや設定データを格納する。ＲＡＭ３３は、ＣＰＵ３１に作業用のメモリ空間を提供し、一時データや更新可能な設定データを記憶する揮発性メモリである。この更新可能な設定データには、３つの表示領域に各々表示させる内容の機能種別に係る表示設定が含まれる。また、ＲＡＭ３３には、指針５１〜５８及び日車５９の現在の指針位置データと、これらの指針５１〜５８又は日車５９の設定位置データとが記憶されている。ユーザにより設定更新が可能な設定データは、ＲＡＭ３３の他、フラッシュメモリなどの不揮発性メモリを備えて読み書き可能とされても良い。また、上記の振り戻しステップ数は、工場での検査時に不揮発性メモリに書き込まれても良い。
【００２４】
モータ駆動回路８１は、ＣＰＵ３１から入力された制御信号に応じてステッピングモータ７１〜７３、７５、７７、７８をそれぞれ駆動するための電圧駆動パルスを適切なタイミング及びパルス幅で出力する。
【００２５】
発振回路３４は、所定の周波数信号を生成する回路であり、ここでは、例えば、水晶発振回路が用いられている。分周回路３５は、この発振回路３４から入力された信号を、アナログ電子時計１００で用いられる各種周波数の信号に分周してＣＰＵ３１及び時刻計数回路３６に出力する。時刻計数回路３６は、分周回路３５から入力された信号を計数し、初期時刻に加算していくことで現在時刻を計数する。
【００２６】
電源部３７は、アナログ電子時計１００の各部に電力を供給する。この電源部３７としては、例えば、太陽光発電と二次電池との組み合わせであり、表示盤３に設けられた図示略のソーラーパネルを用いて発電された電力が各部に供給され、また、二次電池に蓄電される一方、発電が出来ない状況では、二次電池から電力が供給される。
【００２７】
操作部３８は、りゅうず３８１及び押しボタンスイッチ３８２、３８３を備え、ユーザによるこれらりゅうず３８１、押しボタンスイッチ３８２、３８３への入力操作を電気信号に変換してＣＰＵ３１に出力する。押しボタンスイッチ３８２、３８３は、例えば、ストップウォッチ機能に係る時間計測の開始、終了やリセットといった操作に用いられる。また、りゅうず３８１は、本実施形態のアナログ電子時計１００では、二段階の引き出し動作が可能となっており、当該引き出しの段階、回転動作の向きや回転角度、及び、これらと押しボタンスイッチ３８２、３８３の押下動作との組み合わせにより、例えば、世界時計表示に係る表示対象都市を切り替える動作が行われる。
【００２８】
次に、本実施形態のアナログ電子時計１００における指針動作及び当該指針の動作に基づく表示動作について説明する。
【００２９】
このアナログ電子時計１００では、各指針の位置が変更される場合には、先ず、ＲＡＭ３３に指針の移動先を示す設定位置データが書込まれる。この設定位置データが定期的に指針の現在位置データと比較されて、異なる位置が検出された場合に、当該移動させる指針に対応するステッピングモータを駆動させる駆動信号がモータ駆動回路８１に出力される。また、各指針の早送り動作が行われる場合には、移動先の位置に基づいて早送りの方向とステップ数が定められ、その後、早送りに係る割込み処理が呼び出されて、移動対象の指針を予め設定された早送り速度、即ち、正転方向に６４ｐｐｓ、逆転方向に３２ｐｐｓで早送りさせる処理が行われる。
【００３０】
本実施形態のアナログ電子時計１００では、設定された一の都市（ホーム都市）における現在時刻表示機能と、選択された世界の都市における時刻を表示する世界時計表示機能と、ストップウォッチ機能と、の三種類の機能種別に係る表示がセンター表示領域、表示領域４、５の三表示領域に割り振られて何れかに表示されている。アナログ電子時計１００には、各表示領域内での各指針位置の変更、修正に係る動作の他、これらの三種類の機能種別に係る表示の三表示領域への割り振りを、操作部３８へのユーザによる入力操作に応じて入れ替える動作モードが設けられている。
【００３１】
図３は、本実施形態のアナログ電子時計１００において実行される機能表示位置変更処理のＣＰＵ３１による制御手順を示すフローチャートである。
【００３２】
本実施形態のアナログ電子時計１００では、例えば、りゅうず３８１を一段階引き出すことでこの機能表示位置変更処理が開始される。機能表示位置変更処理が開始されると、先ず、ＣＰＵ３１は、日車５９の動作中の場合には、この動作を中断し、それから、りゅうず３８１の回転操作が検出されたか否かを判別する（ステップＳ１０１）。回転操作が検出されたと判別された場合には（ステップＳ１０１で“ＹＥＳ”）、ＣＰＵ３１は、各表示領域に表示されている内容の機能種別を一つずつ移動させる処理を行う（ステップＳ１０２）。具体的には、図１に示すようにセンター表示領域で現在時刻表示が行われ、表示領域４において世界時計表示がなされ、表示領域５においてストップウォッチ機能に係る表示がなされている場合に、ＣＰＵ３１は、センター表示領域において世界時計表示を行わせ、表示領域４においてストップウォッチ機能に係る表示を行わせ、表示領域５において現在時刻表示を行わせるように各指針５１〜５８を移動させるための制御信号をモータ駆動回路８１に出力する。また、ＣＰＵ３１は、センター表示に移動した表示内容に係る機能種別に対応する種別標識の位置を、機能針５８の移動位置に定める（ステップＳ１０３）。ＣＰＵ３１は、後述する機能針移動設定処理を呼び出す（ステップＳ１０４）。そして、ＣＰＵ３１は、機能針５８の早送り移動を開始させた後、処理をステップＳ１０１に戻す。
【００３３】
一方、回転操作が検出されていないと判別された場合には（ステップＳ１０１で“ＮＯ”）、ＣＰＵ３１は、引き出されているりゅうず３８１を押し戻す操作が検出されたか否かを判別する（ステップＳ１０５）。押し戻し操作が検出されていないと判別された場合には（ステップＳ１０５で“ＮＯ”）、ＣＰＵ３１の処理は、ステップＳ１０１に戻る。
【００３４】
押し戻し操作が検出されたと判別された場合には（ステップＳ１０５で“ＹＥＳ”）、ＣＰＵ３１は、これまでの機能表示位置変更処理において設定されている機能表示位置を確定し、それから、機能針移動設定処理を呼び出して実行する（ステップＳ１０６）。そして、ＣＰＵ３１は、機能表示位置変更処理を終了する。
【００３５】
図４は、機能表示位置変更処理で呼び出されて実行される機能針移動設定処理のＣＰＵ３１による制御手順を示すフローチャートである。
【００３６】
機能針移動設定処理が開始されると、ＣＰＵ３１は、先ず、機能表示位置変更処理における機能表示位置の設定の確定前であるか否かを判別する（ステップＳ１２１）。具体的には、ＣＰＵ３１は、ステップＳ１０５の処理で“ＹＥＳ”に分岐していないか否かを判別する。機能表示位置の設定が確定していないと判別された場合、即ち、ステップＳ１０５の判別処理で“ＹＥＳ”に分岐していないと判別された場合には（ステップＳ１２１で“ＹＥＳ”）、ＣＰＵ３１は、日車５９の位置を考慮せずに、機能針５８を最短で移動先設定位置へ到達させるための回転方向及び回転ステップ数を設定する（ステップＳ１２２）。それから、ＣＰＵ３１の処理は、ステップＳ１２４に移行する。
【００３７】
一方、機能表示位置の設定が確定したと判別された場合、即ち、ステップＳ１０５の判別処理で“ＹＥＳ”に分岐したと判別された場合には（ステップＳ１２１で“ＮＯ”）、ＣＰＵ３１は、日車５９の位置と機能針５８の位置を何れも移動先設定位置へ到達させるために最短の回転方向及び回転ステップ数を設定する（ステップＳ１２３）。それから、ＣＰＵ３１の処理は、ステップＳ１２４に移行する。
【００３８】
ステップＳ１２２又はステップＳ１２３の処理からステップＳ１２４の処理に移行すると、ＣＰＵ３１は、機能針５８の早送り処理を起動する（ステップＳ１２４）。この早送り処理は、他の処理と並列且つ優先的に行われる処理である。その後、ＣＰＵ３１は、機能針移動設定処理を終了する。
【００３９】
図５は、本実施形態のアナログ電子時計１００において、図１の表示状態から機能表示に係る設定が変更される場合の表示例を示すアナログ電子時計１００の平面図である。
【００４０】
図１に示す状態では、センター表示領域で行われている現在時刻の表示により、東京における現在時刻である３時３７分５２秒が示されている。また、表示領域４では、世界時計表示として、ニューヨークにおける現在時刻（東京と比較して、−１４時間）である１３時３７分（５０秒〜５９秒）が表示されている。また、表示領域５では、ストップウォッチ機能におけるリセット状態を示す０分０秒が表示されている。
【００４１】
このとき、日車５９は、センター表示が行われている現在時刻表示に従って、東京における日付である１２日を示す日付標識が小窓７から露出されるように位置している。一方、このときのニューヨークにおける日付は、前日の１１日である。
【００４２】
この場合に、ユーザによる操作部３８への入力操作が行われ、りゅうず３８１が一段階引き出された後に、りゅうず３８１が所定角度回転されて（ステップＳ１０１で“ＹＥＳ”）、三表示領域の表示が１つずつ入れ換えられると（ステップＳ１０２）、図５（ａ）に示すように、センター表示領域には、世界時計に係る表示として、ニューヨークにおける現在時刻である１３時３７分が表示されることになる。続いて、機能針５８が種別標識「ＷＴ」の位置に回転動作される設定が行われ（ステップＳ１０３）、この設定に応じて機能針５８の回転方向及び回転ステップ数が決定され、回転動作される（ステップＳ１０４）。
【００４３】
種別標識「ＴＭ」の位置から種別標識「ＷＴ」の位置までの角度は、−３０度（正転方向が正の値）である。一方で、機能針５８だけではなく、東京の日付である１２日の表示位置からニューヨークの日付である１１日の表示位置へ日車５９の位置を正確に世界時計表示にあわせるためには、機能針５８を逆転方向に１２周（４３２０度）回転させた後に、更に、機能針５８を３０度逆転方向に回転させる必要がある。
【００４４】
機能針移動設定処理において、ステップＳ１０４の処理は、機能表示位置の変更確定前であるので（ステップＳ１２１で“ＹＥＳ”）、日車５９の位置が考慮されずに機能針５８の位置のみが変更設定される。即ち、機能針５８は、逆転方向に３０度回転される設定が行われる（ステップＳ１２２）。そして、早送り処理が呼び出されて（ステップＳ１２４）、日車５９により１２日の表示状態のまま、機能針５８が種別標識「ＷＴ」を指し示すことになる。
【００４５】
その後、りゅうず３８１の押し戻し動作がなされて（ステップＳ１０５で“ＹＥＳ”）、機能表示位置の変更が確定すると、再度、機能針移動設定処理が呼び出される（ステップＳ１０６）。このタイミングで実行される機能針移動設定処理では、機能表示位置の変更が既に確定されているので（ステップＳ１２１で“ＮＯ”）、機能針５８の位置と共に、日車５９がセンター表示領域で行われている世界時計表示における日付を正確に示すように回転方向と回転ステップ数が設定される。即ち、機能針５８は、１２日の日付と種別標識「ＷＴ」を表示している状態から、１１日の日付と種別標識「ＷＴ」を表示している段階へ移行させるために、逆転方向に４３２０度回転動作が行われる設定がなされる（ステップＳ１２３）。そして、早送り処理が起動され（ステップＳ１２４）、図５（ｂ）に示すように、日付表示が１１日に変更される。
【００４６】
図６は、アナログ電子時計１００において行われる振り戻し量設定処理のＣＰＵ３１による制御手順を示すフローチャートである。
【００４７】
この振り戻し量設定処理は、機能針移動設定処理のステップＳ１２４において呼び出された早送り処理により、機能針５８の早送り動作が終了した場合に続けて呼び出される処理である。
【００４８】
振り戻し量設定処理が開始されると、ＣＰＵ３１は、早送り処理において機能針５８が回転移動した方向が逆転方向であったか否かを判別する（ステップＳ１４１）。逆転方向ではなかったと判別された場合には（ステップＳ１４１で“ＮＯ”）、ＣＰＵ３１は、そのまま振り戻し量設定処理を終了する。
【００４９】
一方、機能針５８の回転移動した方向が逆転方向であったと判別された場合には（ステップＳ１４１で“ＹＥＳ”）、ＣＰＵ３１は、機能表示位置変更処理における機能表示位置の設定の確定前であるか否かを判別する（ステップＳ１４２）。機能表示位置の設定の確定前であると判別された場合には（ステップＳ１４２で“ＹＥＳ”）、ＣＰＵ３１は、予めＲＯＭ３２に記憶されている機能針５８の振り戻しに係る振り戻しステップ数を振り戻し量として設定する（ステップＳ１４３）。それから、ＣＰＵ３１の処理は、ステップＳ１４５に移行する。機能表示位置の設定の確定後であると判別された場合には（ステップＳ１４２で“ＮＯ”）、ＣＰＵ３１は、予めＲＯＭ３２に記憶されている日車５９の振り戻しに係る振り戻しステップ数を振り戻し量として設定する（ステップＳ１４４）。それから、ＣＰＵ３１の処理は、ステップＳ１４５に移行する。
【００５０】
ステップＳ１４３、Ｓ１４４の処理の何れかからステップＳ１４５の処理に移行すると、ＣＰＵ３１は、振り戻し処理を起動する（ステップＳ１４５）。この振り戻し処理は、早送り処理と同様に、他の処理と並列に起動され、優先的に実行される処理である。ＣＰＵ３１は、この振り戻し処理を実行することで、機能針５８のみ、又は、機能針５８及び日車５９の両方について、正転方向への回転に対し空回りを生じさせる遊びが存在しない状態とさせる。そして、ＣＰＵ３１は、振り戻し量設定処理を終了する。
【００５１】
以上のように、本実施形態のアナログ電子時計１００は、ステッピングモータ７８と、ステッピングモータ７８のステップ駆動により１度ずつ回転する機能針５８と、機能針５８と連動して１／３８４度ずつ回転する日車５９とを備える。ＣＰＵ３１は、機能針５８を単独で設定位置に回転移動させる場合と、機能針５８及び日車５９を何れも設定位置に回転移動させる場合とがあり、機能針５８が操作される機能表示位置変更処理が開始されると、機能針５８が単独で動作され、機能表示位置変更処理において機能表示位置が確定されて機能針５８の指し示す位置が最終的に定まった後に、機能針５８及び日車５９を何れも設定位置に回転移動させる。従って、機能針５８と日車５９とが一のステップモータ７８により連動して回転動作される場合であっても、機能針５８を動作させるときには日車５９の回転位置を考慮しないので、ユーザを不要に長時間待たせずに、速やかに機能針５８の位置を設定された位置に合わせて表示させることが出来る。一方で、このような操作時には、日車５９により表示されている日付情報をユーザが必要とすることは、通常想定されないので、ユーザの使い勝手の低下を抑えることが出来る。
【００５２】
また、このようにギア比の大きい指針を連動させる場合、バックラッシュのステップ数が大きく異なる場合があるので、このバックラッシュに係る正転方向への空回りステップ数に係る振り戻しステップ数をＲＯＭ３２に記憶させ、振り戻し動作により適切な位置に機能針５８及び日車５９を回転移動させることが出来る。特に機能針５８のみの回転動作を行わせる場合、日車５９の空回りを考慮しないことで、不要に機能針５８の振り戻し動作のステップ数を増加させず、短時間で機能針５８を設定位置にあわせることが出来る。一方で、日車５９の動作時には、当該日車５９の振り戻しステップ数により振り戻し動作を行わせることが出来る。
【００５３】
また、日付の変更中であっても、機能表示位置の変更操作があった場合には、日付の変更動作を中断して機能表示位置の変更に係る機能針５８の動作を優先させるので、ユーザを無駄に待たせないで快適に操作可能とすることが出来る。
【００５４】
また、日車５９の回転位置を考慮しないで機能針５８のみを設定位置に移動させる場合には、日車５９を移動させる場合の回転方向を考慮せず、機能針５８が最短で設定位置に到達可能な向きに機能針５８を回転させるので、機能表示位置の変更の際の機能針５８の動作に余計な時間を取られずに、ユーザはスムーズに操作を行うことが出来る。
【００５５】
また、機能針５８のステップ回転の角度は、日車５９のステップ回転の角度の整数倍であるので、日車５９の位置によらずに機能針５８の位置を調整するのが容易となっている。
【００５６】
また、操作部３８を備え、ユーザが操作部３８のりゅうず３８１を一段階引き出すことで機能表示位置の変更に係る動作モードに移行し、引き出されたりゅうず３８１を押し戻すことで機能表示位置の変更に係る設定を確定することが出来るので、容易に表示位置を変更することが出来る。
【００５７】
また、このように、他の指針５１〜５７で表示される機能種別を表示するための機能針５８と日車５９の組合せとすることで、使用頻度が低く、ユーザに表示情報が同時に必要とされる可能性の低い２つの指示部について１つのステッピングモータ７８により効率良く動作させることが出来る。即ち、他の独立性の高い指針の動作に対して１つのステッピングモータを割り当てることが出来る。
【００５８】
［変形例］
図７は、機能表示位置変更処理のＣＰＵ３１による制御手順の変形例を示すフローチャートである。
【００５９】
この変形例の機能表示位置変更処理では、上記実施の形態における機能表示位置変更処理に対し、ステップＳ１６１〜Ｓ１６８の処理が追加されている点を除いて同一であり、同一の制御内容については同一の符号を付して詳しい説明を省略する。
【００６０】
この変形例の機能表示位置変更処理におけるステップＳ１０５の判別処理で、りゅうずの押し戻し動作が検出されていないと判別された場合には（ステップＳ１０５で“ＮＯ”）、続いて、ＣＰＵ３１は、最終操作から終了基準時間が経過したか否かを判別する（ステップＳ１６１）。終了基準時間が経過したと判別された場合には（ステップＳ１６１で“ＹＥＳ”）、ＣＰＵ３１は、機能表示位置の設定を確定させ、処理をステップＳ１０６に移行させる。
【００６１】
終了基準時間が経過していないと判別された場合には（ステップＳ１６１で“ＮＯ”）、ＣＰＵ３１は、機能表示位置変更処理が開始された後、世界時計表示と現在時刻表示との間での表示状態の変更がなされているか否かを判別する（ステップＳ１６２）。世界時計表示と現在時刻表示との間での表示状態の変更が行われていないと判別された場合には（ステップＳ１６２で“ＮＯ”）、ＣＰＵ３１の処理は、ステップＳ１０１に戻る。
【００６２】
世界時計表示と現在時刻表示との間で表示状態の変更が行われていると判別された場合には（ステップＳ１６２で“ＹＥＳ”）、ＣＰＵ３１は、表示状態の変更（切替）の前後で表示すべき日付が異なるか否かを判別する（ステップＳ１６３）。切替前後で日付が異ならないと判別された場合には（ステップＳ１６３で“ＮＯ”）、ＣＰＵ３１の処理は、ステップＳ１０１に戻る。
【００６３】
切替前後で日付が異なると判別された場合には（ステップＳ１６３で“ＹＥＳ”）、更に、ＣＰＵ３１は、切替後の日付が切替前の日付よりも小さいか否かを判別する（ステップＳ１６４）。ここで、日付の大小は、日車５９における日付標識の配列方向で定められるものであり、各月の末日の日付は、翌月の１日の日付よりも小さいと判断される。切替後の日付が切り替え前の日付より小さいと判別された場合には（ステップＳ１６４で“ＹＥＳ”）、直近のりゅうず３８１の操作（最終操作）が検出されてから終了基準時間が経過するまでの間に切替前の日付が切替後の日付と等しくなるか否かを判別する（ステップＳ１６５）。等しくなると判別された場合には（ステップＳ１６５で“ＹＥＳ”）、ＣＰＵ３１の処理は、ステップＳ１０１に移行する。等しくならないと判別された場合には（ステップＳ１６５で“ＮＯ”）、ＣＰＵ３１の処理は、ステップＳ１６６に移行する。
【００６４】
ステップＳ１６４の判別処理で、切替後の日付が切り替え前の日付より小さくない（大きい）と判別された場合には（ステップＳ１６４で“ＮＯ”）、ＣＰＵ３１の処理は、そのままステップＳ１６６に移行する。
【００６５】
ステップＳ１６６の処理に移行すると、ＣＰＵ３１は、最終操作、又は、前回のステップＳ１６６の処理で“ＹＥＳ”に分岐したタイミングから待機基準時間（所定の待機時間、所定の時間間隔）が経過したか否かを判別する（ステップＳ１６６）。この待機基準時間は、終了基準時間より短い時間であり、例えば、終了基準時間を所定回、例えば６回に分割した時間である。待機基準時間が経過していないと判別された場合には（ステップＳ１６６で“ＮＯ”）、ＣＰＵ３１の処理は、ステップＳ１０１に戻る。
【００６６】
待機基準時間が経過したと判別された場合には（ステップＳ１６６で“ＹＥＳ”）、ＣＰＵ３１は、機能針５８を、切替後の日付への回転移動方向に３６０ステップ早送り移動させる設定を行う（ステップＳ１６７）。そして、ＣＰＵ３１は、早送り処理を起動した後（ステップＳ１６８）、処理をステップＳ１０１に戻す。
【００６７】
以上のように、このアナログ電子時計１００の変形例の機能表示位置変更処理では、日車５９の日付標識が一日分移動される間に機能針５８が表示領域６で１２周するように構成されており、機能針５８の動作時には、日車５９の表示に殆ど影響を与えない。
【００６８】
また、機能針５８の毎周回につき、機能針５８を設定位置に移動させることが出来るので、例えば、現在時刻表示と世界時計表示との切り替えにより日付表示が変化する場合であって、機能表示位置変更操作の途中で暫くユーザからの入力操作が無いような場合には、その間に機能針５８を一周ずつ移動させることが出来る。このように操作のない間に少しずつ移動させることで、操作に影響を与えず、一方で、機能表示位置変更操作の確定後の移動量を効率良く減らすことが出来る。
【００６９】
なお、本発明は、上記実施の形態に限られるものではなく、様々な変更が可能である。
例えば、上記実施の形態では、機能針５８と日車５９との組み合わせについて説明したが、ことなるステップ回転角度で連動して回転する複数の回転板を含む指針の組み合わせについて、本発明を適用することが出来る。例えば、日車の代わりに曜日表示に用いられる回転板や指針が用いられても良く、また、機能針５８は、機能種別を表示させる代わりに、その他のモード、例えば、アラーム動作、夏時間設定の可否（オン／オフ）や、押しボタンスイッチ３８２、３８３の操作音の出力有無などに用いられても良い。或いは、機能表示自体、例えば、物理量を計測するセンサの出力に係る表示を行わせるものであっても良い。
【００７０】
また、上記実施の形態では、機能針５８が所定数周回すると、日車５９上の日付標識が一日分変化する構成としたが、機能針５８と日車５９の表示が何れも正確に表示可能な比率で回転する限り、任意にステップ回転角度の比を設定することが出来る。
【００７１】
また、上記実施の形態では、機能針５８と日車５９とで空回りステップ数が異なる場合について説明したが、指針同士で空回りステップ数が同一である場合には、振り戻し量についての制御は、通常通りに行わせることが出来る。
【００７２】
また、上記実施の形態では、機能針５８を単独で動作させる場合に、より短時間で機能針５８が移動先に到達する方向に回転させることとしたが、回転方向に制限を付けても良い。
【００７３】
また、上記実施の形態では、３つの機能種別を３つの表示領域内で入れ換える場合について説明したが、４つ以上の機能種別の中から選択された機能に切り替える場合であっても良い。また、各表示領域で表示させる機能種別を全て変更する必要はなく、例えば、センター表示に係る表示内容のみを切り替える場合であっても良い。
【００７４】
また、上記実施の形態では、ユーザ操作に基づいて機能表示位置を切り替える動作モードにおける変更確定前後についての動作について説明したが、ユーザ操作に基づかない表示、例えば、毎日予め設定された時間に自動的に実施される標準電波の受信処理に係る表示を機能針５８に行わせるような動作状態の場合に、受信中の受信強度表示に係る表示と、受信終了後の成功又は失敗に係る表示とで日車５９の位置を考慮しなかったりしたりするように切り替えることが出来る。
【００７５】
また、上記変形例では、機能表示位置の切替操作中に待機基準時間入力操作がない場合に、間欠的に少しずつ日車５９を正しい位置に近づけてゆき、所定の終了時間入力操作が無い場合には、切替操作を自動終了する例に挙げて説明したが、何れか一方でも良い。また、例えば、間欠的動作で日車５９が正しい位置に到達した時点で切替操作も終了することとしても良い。
【００７６】
また、上記実施の形態では、機能表示位置を維持したまま日車５９を移動させていく場合について説明したが、機能表示ではなく、センサ計測値の表示の場合などには、一回目の日車５９の動作では、センサ計測値の表示をリセット状態に変更させても良い。
その他、上記実施の形態で示した構成、数値や制御処理の順番など具体的な細部は、本発明の趣旨を逸脱しない範囲において適宜変更可能である。
【００７７】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００７８】
［付記］
＜請求項１＞
ステップ駆動されるステッピングモータと、
前記ステップ駆動に応じて、所定の第１回転角度ずつステップ回転される第１指示部と、
前記第１指示部の回転に連動して、前記第１回転角度より小さい第２回転角度ずつステップ回転される第２指示部と、
前記第１指示部の回転位置に係る設定に応じて前記ステッピングモータをステップ駆動させる単独回動制御手段と、
当該第１指示部の回転位置と前記第２指示部の回転位置とが何れも設定された位置となるように前記ステッピングモータをステップ駆動させる連動回動制御手段と、
前記第１指示部の回転位置を変更させる動作モード、又は、当該第１指示部の回転位置を一時的に変更させる動作状態にある場合には、前記単独回動制御手段を動作させ、前記第１指示部の最終的な回転位置に係る設定が確定された場合には、前記連動回動制御手段を動作させる回動選択手段と
を備えることを特徴とするアナログ電子時計。
＜請求項２＞
前記第１指示部及び前記第２指示部をそれぞれ回転させる歯車列の所定方向への回転に係る遊びの大きさのデータを記憶する記憶手段を備え、
前記単独回動制御手段は、前記第１指示部を前記所定方向とは反対方向に移動させる場合に、当該第１指示部の前記遊びの大きさ以上の所定ステップ数、前記第１指示部を当該反対方向及び前記所定方向に順に回転動作させ、
前記連動回動制御手段は、前記第２指示部を前記所定方向とは反対方向に移動させる場合に、当該第２指示部の前記遊びの大きさ以上の所定ステップ数、前記第１指示部及び前記第２指示部を当該反対方向及び前記所定方向に順に回転動作させることを特徴とする請求項１記載のアナログ電子時計。
＜請求項３＞
前記回動選択手段は、前記第２指示部の回転動作中に前記第１指示部の回転位置を変更させる動作モード、又は、前記第１指示部の回転位置を一時的に変更させる動作状態に移行した場合には、前記連動回動制御手段による前記第２指示部の回転動作を中断させて、前記単独回動制御手段の動作に切り替えることを特徴とする請求項１又は２記載のアナログ電子時計。
＜請求項４＞
前記単独回動制御手段は、前記第１指示部の回転位置として設定された位置へ、より短時間で到達させることが可能な回転方向へ前記第１指示部を回転動作させることを特徴とする請求項１〜３の何れか一項に記載のアナログ電子時計。
＜請求項５＞
前記第１回転角度は、前記第２回転角度の整数倍に設定されていることを特徴とする請求項１〜４の何れか一項に記載のアナログ電子時計。
＜請求項６＞
前記第２指示部は、所定の角度間隔で設けられた複数の標識のうちの一つが回転位置に応じて選択的に示される構成であり、
前記第１回転角度及び前記第２回転角度は、前記第２指示部が前記所定の角度間隔回転する間に、前記第１指示部が所定回３６０度回転するように定められている
ことを特徴とする請求項５記載のアナログ電子時計。
＜請求項７＞
ユーザの入力操作を受け付ける操作手段を備え、
前記第１指示部の回転位置を変更させる動作モードには、当該第１指示部の回転位置に係る設定を変更するための前記操作手段への入力操作を待ち受けている状態を含み、
前記回動選択手段は、前記第１指示部の回転位置に係る設定がなされてから所定の待機時間以上、前記操作手段への入力操作が検出されない場合には、所定の時間間隔で前記第２指示部が示すべき前記標識に係る回転位置の方向へ前記第１指示部を３６０度早送り回転動作させていくことを特徴とする請求項６記載のアナログ電子時計。
＜請求項８＞
ユーザの入力操作を受け付ける操作手段を備え、
前記第１指示部の回転位置を変更させる動作モードには、当該第１指示部の回転位置に係る設定を変更するための前記操作手段への入力操作を待ち受けている状態を含む
ことを特徴とする請求項１〜５の何れか一項に記載のアナログ電子時計。
＜請求項９＞
複数の機能に係る表示を行うための機能指針を備え、
前記第１指示部は、当該機能指針の一部又は全部により表示されている内容の機能種別を示すモード指針であり、前記第２指示部は、一の面に所定の角度間隔で設けられた各日付を表す複数の標識を有する回転板である
ことを特徴とする請求項１〜８の何れか一項に記載のアナログ電子時計。
【符号の説明】
【００７９】
２     ケーシング
３     表示盤
４     表示領域
５     表示領域
６     表示領域
７     小窓
３１   ＣＰＵ
３２   ＲＯＭ
３３   ＲＡＭ
３４   発振回路
３５   分周回路
３６   時刻計数回路
３７   電源部
３８   操作部
５１   時針
５２   分針
５３   秒針
５４   第一短小針
５５   第一長小針
５６   第二短小針
５７   第二長小針
５８   機能針
５９   日車
６１〜６９    輪列機構
７１〜７３    ステッピングモータ
７５   ステッピングモータ
７７   ステッピングモータ
７８   ステッピングモータ
８１   モータ駆動回路
１００ アナログ電子時計
３８１ りゅうず
３８２、３８３       押しボタンスイッチ
【図１】
2014182074.tif 000003
【図２】
2014182074.tif 000004
【図３】
2014182074.tif 000005
【図４】
2014182074.tif 000006
【図５】
2014182074.tif 000007
【図６】
2014182074.tif 000008
【図７】
2014182074.tif 000009
【手続補正書】
【提出日】平成26年2月24日(2014.2.24)
【手続補正１】
【補正対象書類名】明細書
【補正対象項目名】００２０
【補正方法】変更
【補正の内容】
【００２０】
輪列機構６４、６６、６９は、輪列機構６５、６７、６８の歯車の回転にそれぞれ連動して回転する歯車を有し、第一短小針５４、第二短小針５６、及び、日車５９に所定角度の回転動作を伝える。第一短小針５４及び第二短小針５６は、それぞれ、第一長小針５５及び第二長小針５７の回転角度に対し１／１２の回転角度で回転する。即ち、第一長小針５５及び第二長小針５７が表示領域４、５の内部で各々の回転軸の周りを一周（３６０度回転）する間に、第一短小針５４及び第二短小針５６は、第一長小針５５及び第二長小針５７と同一の回転方向に３０度回転する。輪列機構６９は、機能針５８が表示領域６の内部で回転軸の周りを１２周すると、小窓７から露出される日車５９上の日付標識の一日分の変化に対応する角度（所定の角度間隔、例えば、約１１．６１度）回転するように１：３７２でギア比が構成され、一ステップ当たり１／３７２度（第２回転角度）回転移動する。
【手続補正２】
【補正対象書類名】明細書
【補正対象項目名】００５１
【補正方法】変更
【補正の内容】
【００５１】
以上のように、本実施形態のアナログ電子時計１００は、ステッピングモータ７８と、ステッピングモータ７８のステップ駆動により１度ずつ回転する機能針５８と、機能針５８と連動して１／３７２度ずつ回転する日車５９とを備える。ＣＰＵ３１は、機能針５８を単独で設定位置に回転移動させる場合と、機能針５８及び日車５９を何れも設定位置に回転移動させる場合とがあり、機能針５８が操作される機能表示位置変更処理が開始されると、機能針５８が単独で動作され、機能表示位置変更処理において機能表示位置が確定されて機能針５８の指し示す位置が最終的に定まった後に、機能針５８及び日車５９を何れも設定位置に回転移動させる。従って、機能針５８と日車５９とが一のステップモータ７８により連動して回転動作される場合であっても、機能針５８を動作させるときには日車５９の回転位置を考慮しないので、ユーザを不要に長時間待たせずに、速やかに機能針５８の位置を設定された位置に合わせて表示させることが出来る。一方で、このような操作時には、日車５９により表示されている日付情報をユーザが必要とすることは、通常想定されないので、ユーザの使い勝手の低下を抑えることが出来る。